(57)【要約】【課題】  スクリーン自体の強度の増大、スクリーンと液晶ディスプレイの間のクリアランスの増大を同時に確保し携帯用電子機器の軽量化、薄型化を促進する【解決手段】携帯用電子機器の液晶ディスプレイ補強構造に、携帯用電子機器の処理情報を表示する液晶ディスプレイ１０５と、一定の強度と透明な三次元のアーチ形状部２１０の面を有する材料で形成され、アーチ形状の平面を携帯用電子機器の外側に凸面を内側のディスプレイ側に向けて液晶ディスプレイとの間のクリアランスを確保するように配置され、液晶ディスプレイを保護するアーチ形状スクリーン２０４とを備える。【選択図】図３
2005215087.tif 000002
【特許請求の範囲】
【請求項１】
携帯用電子機器の液晶ディスプレイ補強構造において、
前記携帯用電子機器の処理情報を表示する液晶ディスプレイと、
一定の強度と透明な三次元のアーチ形状の面を有する材料で形成され、アーチ形状の平面を前記携帯用電子機器の外側に凸面を内側の前記ディスプレイ側に向けて前記液晶ディスプレイとの間のクリアランスを確保するように配置され、前記液晶ディスプレイを保護するアーチ形状スクリーンとを備えることを特徴とする電子機器の液晶ディスプレイ補強構造。
【請求項２】
前記アーチ形状スクリーンは三次元のアーチ形状の面を有するアクリル製で構成されることを特徴とする、請求項１に記載の携帯用電子機器の液晶ディスプレイ補強構造。
【請求項３】
前記アーチ形状スクリーンの凸面は球面又は回転楕円面であることを特徴とする、請求項１に記載の携帯用電子機器の液晶ディスプレイ補強構造。
【請求項４】
前記携帯用電子機器が折り畳み式携帯電話機であり、前記折り畳み式携帯電話機のフロントケースに前記液晶ディスプレイ、リアカバーにサブの液晶ディスプレイが設けられる場合に、フロントケースの前記液晶ディスプレイだけでなく、リアカバーのサブの液晶ディスプレイにも前記アーチ形状スクリーンを配置することを特徴とする、請求項１に記載の携帯用電子機器の液晶ディスプレイ補強構造。
【請求項５】
前記携帯用電子機器として、折り畳み式携帯電話機、棒状の携帯電話機、携帯情報端末、携帯用辞書、携帯用ＧＰＳ、携帯用ナビゲーションシステム、携帯用テレビション、携帯用テレビ電話機、リモートコントローラの少なくとも１つに、前記液晶ディスプレイを保護する前記アーチ形状スクリーンを設けることを特徴とする、請求項１に記載の携帯用電子機器の液晶ディスプレイ補強構造。
【発明の詳細な説明】
【技術分野】
【０００１】
本発明は折り畳み式携帯電話機を含む携帯用電子機器の液晶ディスプレイ（ＬＣＤ）補強構造に関する。特に、本発明は、軽量化、薄型化を図る携帯用電子機器の液晶ディスプレイ強度構造に関する。
【背景技術】
【０００２】
図５は本発明の前提となる携帯用電子機器の液晶ディスプレイ構造の概略を示す横断面図であり、図６は図５における携帯用電子機器の液晶ディスプレイ構造の概略を示す縦断面図である。なお、全図を通して同一の構成要素には同一の番号、符号を付して説明を行う。
本図５、６に示すように、携帯用電子機器の表示部本体１０１には液晶ディスプレイ（ＬＣＤ）１０５が設けられ、液晶ディスプレイ１０５は携帯用電子機器が処理する種々の情報を表示する。
【０００３】
液晶ディスプレイ１０５の裏側にはバックライト１０６が配置され、バックライト１０６は液晶ディスプレイ１０５の光源である。
バックライト１０６の裏側には、さらに、ホルダ１０７が設けられ、ホルダ１０７は液晶ディスプレイ１０５とバックライト１０６を保持する。
ホルダ１０７の裏側には、さらに、基板１０８が設けられ、基板１０８は携帯用電子機器の制御、情報の処理等を行う。
【０００４】
表示部本体１０１にはフロントケース１０２とリアカバー１０３が設けられ、フロントケース１０２とリアカバー１０３は、これらの間に液晶ディスプレイ１０５、バックライト１０６、ホルダ１０７、基板１０８を包含してネジ止めする。
フロントケース１０２には窓枠１０９が設けられ、窓枠１０９には板状スクリーン１０４が取り付けられ、板状スクリーン１０４は液晶ディスプレイ１０５を保護する。
【０００５】
板状スクリーン１０４は一定の強度を有し透明な板状の材料、例えばアクリル製で構成され、窓枠１０９と、液晶ディスプレイ１０５の周囲を保持しているホルダ１０７が接触することによって、全周が保持され、液晶ディスプレイ１０５に対して一定のクリアランスを有する構造になっている。
板状スクリーン１０４は、内部の液晶ディスプレイ１０５で表示された事象を、板状スクリーン１０４を介して、外部から目視できる構成になっている。
【０００６】
このような従来技術として、表示画面の大面積化、装置の薄型化、装置の軽量化を妨げることなく、強い衝撃に耐え得る表示装置を提供するために、液晶パネルの背面に所定距離を隔てて筐体部材が配置され、液晶パネルの前面には該液晶パネルの表示領域を視認しうる透明部を持つ表示板が配置され、液晶パネルの表示領域を囲む位置で、該液晶パネルと筐体部材との間に第１の弾性部材を配置して、第１の弾性部材、液晶パネル、筐体部材で囲まれる略密閉空間を形成し、さらに、液晶パネルの表示領域を囲む位置で、液晶パネルと表示板との間に第２の弾性部材を配置して、第２の弾性部材、液晶パネル、表示板とで囲まれる略密閉空間を形成し、この構成によれば、衝撃は、略密閉空間のエアダンパ効果、並びに各弾性部材の弾力によって吸収され、耐衝撃性能を高めることができるようにしているものがある（例えば、特許文献１参照）。
【０００７】
また、従来技術として、外部からの衝撃力や押圧力により筐体が撓んでも、筐体カバーの枠部が液晶表示装置に当たらないようにすることで液晶表示装置の破損を少なくするため、筺体内に液晶表示装置が収納され、その収納位置に相当する筺体の開口部に表示窓が嵌め込まれ、この開口部の周囲に表示窓を支持するための枠部が設けられている液晶表示付き電子機器において、枠部の筺体内側部分の厚みを削減して、枠部の根元部分の厚みより先端部分の厚みを薄くし、筺体が外部圧力で撓んだ場合でも、枠部の下面が、液晶表示面や液晶表示ホルダ、液晶表示ホルダの爪と接触しないため、液晶表示装置の破損が回避できるようにしているものがある（例えば、特許文献２参照）。
【０００８】
【特許文献１】特開平０９−０７３０７２号公報
【特許文献２】特開２０００−１２２０３７号公報
【発明の開示】
【発明が解決しようとする課題】
【０００９】
とろこで、従来技術として本発明の前提となる携帯用電子機器の液晶ディスプレイ補強構造を用いて説明すると、携帯用電子機器は持ち運び使用されるため、使用環境が厳しく、板状スクリーン１０４の面に外力が印加される場合が多い。
板状スクリーン１０４の面に外力が加わると変形し、板状スクリーン１０４の変形が大きい場合には、板状スクリーン１０４と液晶ディスプレイ１０５が接触し、この接触により液晶ディスプレイ１０５の液晶分子が動き、分子の配列が乱れ、光の散乱が発生し、液晶ディスプレイ１０５が滲みんでしまうという現象が生じ、これにより表示の品質が劣化する。
【００１０】
さらに、板状スクリーン１０４の変形が大きいと液晶ディスプレイ１０５に割れ破損が生じてしまうという現象が生じ、これにより表示不可能になる。
変形を小さくして液晶ディスプレイ１０５の滲みを防止し、さらには液晶ディスプレイ１０５の割れ破損を防止するために、板状スクリーン１０４の厚さを大きくし変形を小さくし、板状スクリーン１０４の変形に対して板状スクリーン１０４と液晶ディスプレイ１０５の間のクリアランスを大きくする必要があった。
【００１１】
近年、携帯電話機、携帯情報端末（ＰＤＡ）を含む携帯用電子機器の液晶ディスプレイの大型化が求められる一方、携帯用電子機器としての薄型化、軽量化も同時に求められており、アクリル製の板状スクリーン１０４の強度を保つことも求められている。
しかしながら、液晶ディスプレイ１０５の滲み、割れ破損を防止するため板状スクリーン１０４と液晶ディスプレイ１０５の間のクリアランスを大きくし、板状スクリーン１０４の厚さを大きくすることは、携帯用電子機器の厚さが増大し、携帯用電子機器の質量も増大し、携帯用電子機器の軽量化、薄型化に逆行するという問題が発生する。
【００１２】
したがって、本発明は上記問題点に鑑みて、板状スクリーン１０４自体の強度の増大、板状スクリーン１０４と液晶ディスプレイ１０５の間のクリアランスの増大を同時に確保でき携帯用電子機器の軽量化、薄型化を促進する携帯用電子機器の液晶ディスプレイ補強構造を提供することを目的とする。
【課題を解決するための手段】
【００１３】
本発明は前記問題点を解決するために、携帯用電子機器の液晶ディスプレイ補強構造において、前記携帯用電子機器の処理情報を表示する液晶ディスプレイと、一定の強度と透明な三次元のアーチ形状の面を有する材料で形成され、アーチ形状の平面を前記携帯用電子機器の外側に凸面を内側の前記ディスプレイ側に向けて前記液晶ディスプレイとの間のクリアランスを確保するように配置され、前記液晶ディスプレイを保護するアーチ形状スクリーンとを備えることを特徴とする電子機器の液晶ディスプレイ補強構造を提供する。
【００１４】
好ましくは、前記アーチ形状スクリーンは三次元のアーチ形状の面を有するアクリル製で構成される。
好ましくは、前記アーチ形状スクリーンの凸面は球面又は回転楕円面である。
さらに、前記携帯用電子機器が折り畳み式携帯電話機であり、前記折り畳み式携帯電話機のフロントケースに前記液晶ディスプレイ、リアカバーにサブの液晶ディスプレイが設けられる場合に、フロントケースの前記液晶ディスプレイだけでなく、リアカバーのサブの液晶ディスプレイにも前記アーチ形状スクリーンを配置する。
【００１５】
さらに、前記携帯用電子機器として、折り畳み式携帯電話機、棒状の携帯電話機、携帯情報端末、携帯用辞書、携帯用ＧＰＳ、携帯用ナビゲーションシステム、携帯用テレビション、携帯用テレビ電話機、リモートコントローラの少なくとも１つに、前記液晶ディスプレイを保護する前記アーチ形状スクリーンを設ける。
【発明の効果】
【００１６】
以上説明したように、本発明によれば、アーチ形状スクリーンを設けて周囲を保持して液晶ディスプレイを補強することによって、従来の板状スクリーンよりも強度の増大、アーチ形状スクリーンと液晶ディスプレイの間のクリアランスの増大を確保でき、液晶ディスプレイが滲みんでしまう現象を防止でき、さらに、液晶ディスプレイが割れ破損するのを防止することが可能になる。
【００１７】
さらに、この液晶ディスプレイの補強構造により、アーチ形状スクリーンの体積が減少し、質量が減少し、アーチ形状スクリーンと液晶ディスプレイの間のクリアランスの増大を確保でき、携帯用電子機器の軽量化、薄型化を図ることが可能になる。
【発明を実施するための最良の形態】
【００１８】
図１は本発明に係る携帯用電子機器の液晶ディスプレイの分解斜視図である。本図に示す携帯用電子機器の液晶ディスプレイは、一例として、折り畳み式携帯電話機の液晶ディスプレイである。携帯用電子機器の液晶ディスプレイの表示部本体１０１では、液晶ディスプレイ１０５の裏側にはバックライト１０６が配置され、バックライト１０６の裏側にはホルダ１０７が設けられ、ホルダ１０７の裏側には基板１０８が設けられる。
【００１９】
フロントケース１０２とリアカバー１０３は、これらの間に液晶ディスプレイ１０５、バックライト１０６、ホルダ１０７、基板１０８を包含してネジ止めする。
フロントケース１０２には窓枠１０９が設けられ、窓枠１０９にはアーチ形状スクリーン２０４が取り付けられ、アーチ形状スクリーン２０４は液晶ディスプレイ１０５を保護する。
【００２０】
アーチ形状スクリーン２０４は、一定の強度を有し透明な三次元のアーチ形状の面を有する材料、例えばアクリル製で構成される。アーチ形状スクリーン２０４は、一方の面が平面で他方の面が凸面となるように形成され、アーチ形状スクリーン２０４の平面が携帯用電子機器の外側に向けられ、アーチ形状スクリーン２０４の凸面が携帯用電子機器の内側の液晶ディスプレイ１０５に向けられるように配置される。
【００２１】
この場合、アーチ形状スクリーン２０４の凸面は球面でもよく、回転楕円面でもよい。アーチ形状スクリーン２０４の凸面の形成が必要となるが、従来技術を用いこの凸面の形成の実現が容易に可能となる。
アーチ形状スクリーン２０４は、窓枠１０９と、液晶ディスプレイ１０５の周囲を保持しているホルダ１０７が接触することによって、全周が保持され、液晶ディスプレイ１０５に対して一定のクリアランスを有する構造になっている。
【００２２】
アーチ形状スクリーン２０４は、透明であるので、内部の液晶ディスプレイ１０５で表示された事象を、アーチ形状スクリーン２０４を介して、外部から目視できる構成になっている。
図２は図１におけるアーチ形状スクリーン２０４の線Ａ−Ａ、線Ｂ−Ｂについての断面図である。本図２（ｃ）、本図２（ｄ）における図５、６の板状スクリーン１０４と比較して、本図２（ａ）における図１における線Ａ−Ａ、本図２（ｂ）における図１における線Ｂ−Ｂのアーチ形状スクリーン２０４は三次元的なアーチ形状部２１０に形成される。
【００２３】
このようにアーチ形状に形成されたアクリル製のアーチ形状スクリーン２０４は、荷重の方向に凸の曲線形をなすアーチ形状部２１０を有するので、曲げ応力を小さくし、アーチ形状スクリーン２０４自体の強度を増大する効果がある。また、アーチ形状部２１０に起因してアーチ形状スクリーン２０４の体積が減少するので、質量が減少する。
さらに、アーチ形状スクリーン２０４のアーチ形状部２１０に基づく凸形状によりアーチ形状スクリーン２０４と液晶ディスプレイ１０５の間のクリアランスを増大する効果がある。
【００２４】
すなわち、アーチ形状スクリーン２０４の周囲が拘束されることによって、外力が働いている場所からアーチ形状スクリーン２０４が変形するが、アーチ形状スクリーン２０４がアーチ形状を形成しているために、図５、６に示すような従来の通常の板状スクリーン１０４と比較してアーチ形状スクリーン２０４は外力に対する押圧強度が増大しているので変形し難くなっている。
【００２５】
また、加えて、アーチ形状スクリーン２０４がアーチ形状をしているので、アーチ形状スクリーン２０４から液晶ディスプレイ１０５までのクリアランスが大きくなっているので、アーチ形状スクリーン２０４と液晶ディスプレイ１０５が接触するまでには高い荷重が必要となるので、液晶ディスプレイ１０５が滲み難く、かつ割り破損し難くなる。
このため、アーチ形状スクリーン２０４を表示部本体１０１に取り込むことは携帯用電子機器の液晶ディスプレイ補強構造に適している。
【００２６】
図３は組み立てられた図１における携帯用電子機器の液晶ディスプレイ補強構造を示す横断面図であり、図４は組み立てられた図１における携帯用電子機器の液晶ディスプレイ補強構造を示す縦断面図である。
本図３、４に示すように、図５、６と比較して、携帯用電子機器の表示部本体１０１にアーチ形状のアーチ形状スクリーン２０４が設けられる。アーチ形状スクリーン２０４のアーチ形状部２１０により、アーチ形状スクリーン２０４の強度を増大させ、アーチ形状スクリーン２０４の質量を小さくできるので携帯用電子機器の質量を削減でき、さらに、アーチ形状スクリーン２０４のアーチ形状部２１０に基づく凸形状によりアーチ形状スクリーン２０４と液晶ディスプレイ１０５の間のクリアランスを大きくできるので携帯用電子機器の厚さを削減できる。
したがって、携帯用電子機器の軽量化、薄型化を図ることが可能になる。
以上の説明ではバックライト１０６を有する透過型の液晶ディスプレイ１０５について説明を行ったが、バックライト１０６が不要な反射型の液晶ディスプレイ１０５、さらには半透過型の液晶ディスプレイ１０５についても同様に適用可能である。
【実施例１】
【００２７】
次に、近年、主流になっている折り畳み式携帯電話機の携帯用電子機器のリアカバー１０３にはサブの液晶ディスプレイが設けられている（図示しない）。本発明の携帯用電子機器の液晶ディスプレイ補強構造をこのサブの液晶ディスプレイに適用することにより、同様の作用効果を得ることが可能になる。
【産業上の利用可能性】
【００２８】
本発明の携帯用電子機器の液晶ディスプレイ補強構造は、液晶ディスプレイを有する折り畳み式携帯電話機、棒状の携帯電話機、携帯情報端末（ＰＤＡ）、携帯用辞書、携帯用ＧＰＳ（全地球測位システム）、携帯用ナビゲーションシステム、携帯用テレビション、携帯用テレビ電話機、リモートコントローラを含む携帯用電子機器に適用可能である。
【図面の簡単な説明】
【００２９】
【図１】本発明に係る携帯用電子機器の液晶ディスプレイの分解斜視図である。
【図２】図１におけるアーチ形状スクリーン２０４の線Ａ−Ａ、線Ｂ−Ｂについての断面図である。
【図３】組み立てられた図１における携帯用電子機器の液晶ディスプレイ補強構造を示す横断面図である。
【図４】組み立てられた図１における携帯用電子機器の液晶ディスプレイ補強構造を示す縦断面図である。
【図５】本発明の前提となる携帯用電子機器の液晶ディスプレイ構造の概略を示す横断面図である。
【図６】図５における携帯用電子機器の液晶ディスプレイ構造の概略を示す縦断面図である。
【符号の説明】
【００３０】
１０１…表示部本体
１０２…フロントケース
１０３…リアカバー
１０４…板状スクリーン
１０５…液晶ディスプレイ
１０６…バックライト
１０７…ホルダ
１０８…基板
１０９…窓枠
２０４…アーチ形状スクリーン
２１０…アーチ形状部
【図１】
2005215087.tif 000003
【図２】
2005215087.tif 000004
【図３】
2005215087.tif 000005
【図４】
2005215087.tif 000006
【図５】
2005215087.tif 000007
【図６】
2005215087.tif 000008